(57)【要約】【課題】帯域幅を異にする複数のチャンネルのテレビジョン放送を受信対象としたチャンネル走査処理を高速に実行することのできる受信装置および受信装置のチューニング方法を提供する。【解決手段】主制御部１４は、ＴＶチャンネル走査情報を用いたＴＶ信号のチューニング処理を実行し、復調する帯域幅を、チャンネル走査したＴＶ信号のＴＶチャンネル走査情報から予測する。【選択図】      図１
2007089038.tif 000002
【特許請求の範囲】
【請求項１】
帯域幅を異にする複数のチャンネルのテレビジョン放送を受信対象に、任意の帯域幅のテレビジョン放送を受信し復調する受信装置に於いて、
前記受信の対象となるすべてのチャンネルを走査する際に、走査した中心周波数毎に、受信信号の有無、および帯域幅を含むチャンネル走査情報を作成し、作成したチャンネル走査情報を更新、削除可能に保存する処理手段を具備したことを特徴とする受信装置。
【請求項２】
前記処理手段は、前記受信したテレビジョン放送の復調開始に先立ち、前記チャンネル走査情報を参照して、復調に用いる帯域幅の複数候補の中から第１候補を選び、当該候補の帯域幅を用いて前記受信したテレビジョン放送の復調を開始する手段を具備する請求項１記載の受信装置。
【請求項３】
前記処理手段は、前記第１候補を、隣接する若しくは近傍の周波数のチャンネル走査情報に基づいて決定する請求項２記載の受信装置。
【請求項４】
前記処理手段は、国若しくは地域の指定に基づいて、前記走査に用いる帯域幅の候補を決める手段を具備する請求項３記載の受信装置。
【請求項５】
前記処理手段は、国若しくは地域の指定に基づいて、前記走査に用いる帯域幅の候補および前記走査に用いる帯域幅の候補順位を決める手段を具備する請求項３記載の受信装置。
【請求項６】
帯域幅を異にする複数のチャンネルのテレビジョン放送を受信対象に、任意の帯域幅のテレビジョン放送を受信し復調する受信装置に於いて、
受信したテレビジョン放送の帯域幅をチャンネル毎に確定するチャンネル走査を、復調に成功したテレビジョン放送の帯域幅を最優先に用いて実行する処理手段を具備したことを特徴とする受信装置。
【請求項７】
帯域幅を異にする複数のチャンネルのテレビジョン放送を対象に、任意の帯域幅のテレビジョン放送を受信し復調する受信装置のチューニング方法に於いて、
受信したテレビジョン放送の帯域幅をチャンネル毎に確定する際に、復調に成功したテレビジョン放送の帯域幅を最優先に用いて、次に受信する他チャンネルのテレビジョン放送の帯域幅を確定する処理を行うことを特徴とする受信装置のチューニング方法。
【発明の詳細な説明】
【技術分野】
【０００１】
本発明は、帯域幅を異にする複数のチャンネルのテレビジョン放送を対象に、任意の帯域幅のテレビジョン放送を受信し復調する受信装置および受信装置のチューニング方法に関する。
【背景技術】
【０００２】
従来、ＴＶ（テレビジョン）放送のチャンネルサーチ技術として、デジタルＴＶ信号／アナログＴＶ信号の検出を行い、アナログＴＶ信号を検出したときにデジタルＴＶ信号のモード検出処理をスキップしてチャンネルサーチを高速化する技術が存在する。また国や地域情報毎に、ＶＨＦ、ＵＨＦ等の周波数帯域やＮＴＳＣ、ＰＡＬ、ＳＥＣＭ等のテレビジョン標準方式等をテレビジョン受信装置にプリセットする技術が存在する。
【特許文献１】特開２００１−２３０６８９号公報
【特許文献２】特開平７−２１２６６５号公報
【発明の開示】
【発明が解決しようとする課題】
【０００３】
デジタルＴＶ受信方式は、従来のアナログＴＶ方式に比べて、ＴＶ信号を捕獲するために多くの所要時間を必要とする。欧州のデジタルＴＶ受信方式の規格であるＤＶＢ−Ｔ方式では、帯域幅のオプションとして、帯域幅の広い順に、８ＭＨｚ、７ＭＨｚ、６ＭＨｚの３種がある。ＤＶＢ−Ｔ方式のＴＶ信号を受信し、受信したＴＶ信号がこれら３種の帯域幅の何れのＴＶ信号であるかを判定するためには、上記各帯域で自動利得制御（ＡＧＣ）やキャリアの引き込み、シンボルレート引き込みをやり直す必要がある。とくに、受信の対象となるすべてのチャンネルを走査するチューニング処理において、走査の対象となるチャンネル数が多いと、各チャンネル毎に上記各帯域幅（６ＭＨｚ、７ＭＨｚ、８ＭＨｚ）に従い、フロントエンドチューナのＳＡＷ（Surface Acoustic Wave）フィルタ、デジタルＴＶ復調器等の帯域幅を所定の順序で切り替えて復調を試みる処理を実行することから、この処理に多大な所要時間を必要とする。
【０００４】
本発明は上記実情に鑑みなされたもので、帯域幅を異にする複数のチャンネルのテレビジョン放送を受信対象としたチューニング処理において、チャンネルを走査する処理（チャンネル走査処理）を高速に実行することのできる受信装置および受信装置のチューニング方法を提供することを目的とする。
【課題を解決するための手段】
【０００５】
本発明は、帯域幅を異にする複数のチャンネルのテレビジョン放送を受信対象に、任意の帯域幅のテレビジョン放送を受信し復調する受信装置に於いて、前記受信の対象となるすべてのチャンネルを走査する際に、走査した中心周波数毎に、受信信号の有無、および帯域幅を含むチャンネル走査情報を作成し、作成したチャンネル走査情報を更新、削除可能に保存する処理手段を具備したことを特徴とする。さらに前記処理手段は、前記受信したテレビジョン放送の復調開始に先立ち、前記チャンネル走査情報を参照して、復調に用いる帯域幅の複数候補の中から第１候補を選び、当該候補の帯域幅を用いて前記受信したテレビジョン放送の復調を開始する手段を具備することを特徴とする。
【０００６】
また本発明は、帯域幅を異にする複数のチャンネルのテレビジョン放送を受信対象に、任意の帯域幅のテレビジョン放送を受信し復調する受信装置に於いて、受信したテレビジョン放送の帯域幅をチャンネル毎に確定するチャンネル走査を、復調に成功したテレビジョン放送の帯域幅を最優先に用いて実行する処理手段を具備したことを特徴とする。
【０００７】
また本発明は、帯域幅を異にする複数のチャンネルのテレビジョン放送を対象に、任意の帯域幅のテレビジョン放送を受信し復調する受信装置のチューニング方法に於いて、受信したテレビジョン放送の帯域幅をチャンネル毎に確定する際に、復調に成功したテレビジョン放送の帯域幅を最優先に用いて、次に受信する他チャンネルのテレビジョン放送の帯域幅を確定する処理を行うことを特徴とする。
【発明の効果】
【０００８】
帯域幅を異にする複数のチャンネルのテレビジョン放送を受信対象としたチューニング処理において、チャンネル走査処理を高速に実行することができる。
【発明を実施するための最良の形態】
【０００９】
上述したＤＶＢ−Ｔの帯域幅は国や地域によって異なるが、チャンネル走査の際に、走査したチャンネルの帯域幅（復調に成功したチャンネルの帯域幅）を知ることができれば、続いて走査する後続チャンネルの帯域幅を比較的高い確率で予測することができる。本発明の実施形態では、この予測帯域幅を利用してチャンネルサーチを行う。予測帯域幅を利用してチャンネルサーチを行うための構成要素として、チャンネル走査情報のテーブルを作成し、このチャンネル走査情報を用いてチャンネルサーチを行う。
【００１０】
以下図面を参照して本発明の実施形態を説明する。
【００１１】
本発明の第１実施形態に係る受信装置の構成を図１に示す。なお、この図１に示す本発明の第１実施形態に係る受信装置は、例えばＴＶ受信機やＣＡＴＶのセットトップボックス（ＳＴＢ）、または北米で標準化が進められているＵＣＤＲ（Unidirectional Cable Digital Receiver）などに適用可能である。また、図１に示す構成例は、本発明の実施形態に係る受信装置をＴＶ受像機（ＴＶモニタ）またはビデオ装置等の外部装置に接続する外部インタフェースを有し、この外部インタフェースを介して、受信装置が、外部装置から、例えば国若しくは地域に応じたチャンネル走査（チャンネルサーチ）の指示を受ける構成としているが、受信装置に、国若しくは地域に応じたチャンネル走査の指示を入力するユーザインタフェース機構を設けることも可能である。
【００１２】
図１に示す受信装置１０は、アンテナ１１、フロントエンドチューナ部１２、デジタルＴＶ受信部１３、主制御部１４、メモリ１５、電源制御部１６、外部インタフェース（ＩＦ）１７部等を有して構成される。
【００１３】
フロントエンドチューナ部１２は、主制御部１４の指示に従うチャンネル周波数および帯域幅に基づいてアンテナ１１に入射されたＴＶ信号（ＴＶ放送波）を受信し、デジタルＴＶ受信部１３に送出する。このフロントエンドチューナ部１２に、受信したチャンネルの帯域幅に合わせて帯域幅を切替える制御対象となるＳＡＷフィルタが設けられている。
【００１４】
デジタルＴＶ受信部１３はフロントエンドチューナ部１２からＴＶ信号を入力し、ＯＦＤＭ（Orthogononal Frequency Division Multiplexing）やＶＳＢ（Vrstigial Sideband）の復調および誤り訂正処理を行いＭＰＥＧのＴＳストリームを抽出して、ＴＳストリームに多重されている複数の映像、音声、データのストリームを分離し、選局された映像、音声、データ等を出力する。
【００１５】
主制御部１４は受信装置１０に於ける装置全体の制御を行うもので、この実施形態では図３に示すＴＶチャンネル走査情報を用いた図４に示すＴＶ信号のチューニング処理を実行する。
【００１６】
メモリ部１５は、例えばＥＥＰＲＯＭ、若しくはフラッシュメモリ、若しくはＤＲＡＭ等を用いて構成されるもので、この実施形態では主制御部１４の制御の下に、主制御部１４が作成し管理するＴＶチャンネル走査情報のテーブル（図３に示す符号５０参照）を記憶する。
【００１７】
電源制御部１６は受信装置１０を構成する各コンポーネントに対して動作用電源を供給制御する。外部インターフェース部１７は、ＴＶ受像機（ＴＶモニタ）またはビデオ装置等の外部装置２０に受信装置１０を接続するためのインタフェース（ビデオ出力、オーディオ出力、ＲＣＡ出力、Ｓ−Ｖｉｄｅｏ出力、ＩＥＥＥ１３９４、Ｅｔｈｅｒｎｅｔ（登録商標）、ＩＥＥＥ８０２．１１等）の制御を司る。
【００１８】
本発明の第２実施形態に係る受信装置の構成を図２に示す。この図２に示す本発明の第２実施形態に於ける受信装置は、パーソナルコンピュータの一部と、パーソナルコンピュータに接続したＴＶチューナボードとにより実現される。この第２実施形態では、図３に示すＴＶチャンネル走査情報を参照して、図４に示すＴＶ信号のチューニング処理を実行する処理機能をパーソナルコンピュータ側で実現した例を示しているが、上記処理機能をＴＶチューナボードの制御部で実現することも可能である。
【００１９】
図２に示す受信装置１０は、ＴＶチューナボード３０と、パーソナルコンピュータ４０に設けたＴＶ受信アプリケーション（ＴＶ−ＡＰＰ）４１、およびＴＶチューナボード用のドライバ（ＴＶｂｏａｒｄ−ＤＲＶ）４２とにより実現される。
【００２０】
ＴＶチューナボード３０は、アンテナ３１、フロントエンドチューナ部３２、デジタルＴＶ復調部３３、ＭＰＥＧデマルチプレクサ部３４、制御部３５、メモリ３６、電源制御部３７、外部インタフェース部３８等を有して構成される。この実施形態では、ＭＰＥＧデマルチプレクサ部３４、制御部３５、および外部インタフェース部３８がそれぞれＰＣＩコントローラ３０Ａに設けられ、ＴＶチューナボード３０とパーソナルコンピュータ４０との間がＰＣＩバスに接続される構成を例に示している。尚、ＴＶチューナボード３０とパーソナルコンピュータ４０との間はＰＣＩバス接続以外に、ＵＳＢ、Ｅｔｈｅｒｎｅｔ、若しくはＷｉｒｅｌｅｓｓＬａｎ等によりインタフェース接続してもよく、またＭＰＥＧデマルチプレクサ部３４をパーソナルコンピュータ４０内に設けた構成としてもよい。
【００２１】
フロントエンドチューナ部３２は、ドライバ４２の指示に従うチャンネル周波数および帯域幅に基づいてアンテナ１１に入射されたＴＶ信号を受信し、デジタルＴＶ復調部３３に送出する。このフロントエンドチューナ部３２に、帯域幅を切替える制御対象となるＳＡＷフィルタが設けられている。
【００２２】
デジタルＴＶ復調部３３は、ＯＦＤＭやＶＳＢの復調および誤り訂正処理を行いＭＰＥＧのＴＳストリームを抽出する。ＭＰＥＧデマルチプレクサ部３４はＴＳストリームに多重されている複数の映像、音声、データのストリームを分離し、選局された映像、音声、データ等を出力する。制御部３５はＴＶチューナボード３０の各部の制御を司る。ここではドライバ４２から受けたチャンネルサーチのための指示に従いフロントエンドチューナ部３２およびデジタルＴＶ復調部３３を制御する。電源制御部３７はフロントエンドチューナ部３２およびデジタルＴＶ復調部３３に対して動作用電源を供給制御する。外部インタフェース部３８はパーソナルコンピュータ４０とＰＣＩバス接続を行う。
【００２３】
パーソナルコンピュータ４０に設けられたＴＶ受信アプリケーション４１は、国別および地域別にチャンネル走査のテーブルを有し、ＴＶ受信のためのセットアップ操作において、国若しくは地域を指定したチャンネル走査の指示が行われることにより、図３に示すＴＶチャンネル走査情報を用いた図４に示すＴＶ信号のチューニング処理を実行する。ＴＶチューナボード用のドライバ４２は、ＴＶ受信アプリケーション４１からの指示に従い制御部３５を介してフロントエンドチューナ部３２、およびデジタルＴＶ復調部３３を制御する。具体的には、フロントエンドチューナ部３２に周波数を設定し、フロントエンドチューナ部３２およびデジタルＴＶ復調部３３に帯域幅を設定して、復調に成功したとき、その旨をＴＶ受信アプリケーション４１に通知する。
【００２４】
上記各実施形態においてチューニング処理に用いられるＴＶチャンネル走査情報の一例を図３に示す。ここでは帯域幅が６ＭＨｚの地域に於けるチャンネル走査の結果の一例を示している。この実施形態に於けるＴＶチャンネル走査情報は、周波数と、信号の有無と、帯域幅とを示す情報により構成される。このＴＶチャンネル走査情報はチャンネル走査の度に作成され、その都度、チャンネル走査情報テーブル５０に記憶される。チューニング処理では、このチャンネル走査情報テーブル５０に記憶された帯域幅を参照してチャンネル走査の処理が実行される。例えば、周波数１１２ＭＨｚのキャリアセンスで所定レベル以上のＴＶ信号が検出され（信号有）、その検出されたＴＶ信号が例えば６ＭＨｚの帯域幅で復調に成功すると、次に周波数１１８ＭＨｚでＴＶ信号が検出されたとき、周波数１１２ＭＨｚのＴＶ信号に於ける確定済みの帯域幅（６ＭＨｚ）を参照して、この帯域幅６ＭＨｚを、復調に用いる帯域幅の複数候補（８ＭＨｚ／７ＭＨｚ／６ＭＨｚ）のうちの最優先候補（第１候補）として選び、この第１候補（帯域幅６ＭＨｚ）を用いて上記１１８ＭＨｚのＴＶ信号を復調する。このように、ＴＶ信号の復調開始に先立ってＴＶチャンネル走査情報を参照し、復調する帯域幅を、チャンネル走査したＴＶ信号のＴＶチャンネル走査情報から予測することにより、最初の帯域幅で復調に成功する確率を上げることができ、チャンネル走査の処理速度を速めることができる。これにより、チューニング処理にかかる所要時間を短縮できる。
【００２５】
上記各実施形態に於けるチューニング処理の処理手順を図４に示す。この図４に示すチューニング処理は、第１実施形態に於いては主制御部１４により実行され、第２実施形態に於いてはＴＶ受信アプリケーション４１により実行される。
【００２６】
このチューニング処理では、国若しくは地域を指定したチャンネル走査の指示に従い、フロントエンドチューナ部（１２／３２）に周波数を設定し、復調を開始する帯域幅を選んで、選んだ帯域幅をフロントエンドチューナ部（１２／３２）のＳＡＷフィルタおよび復調器（１３／３３）に設定した後、復調を開始する（ステップＳ１１〜Ｓ１４）。この際、最初のチャンネル走査では、フロントエンドチューナ部（１２／３２）に例えば受信対象となる最も低いチャンネルの周波数を設定し、チャンネル走査情報テーブル５０がまだ作成されていないことから、予め決められた順位に従う帯域幅をＳＡＷフィルタおよび復調器（１３／３３）に設定した後、復調を開始する。
【００２７】
復調処理に費やされる設定時間（スリープ１００ｍｓｅｃ）を経て（ステップＳ１５）、ＴＶ信号の有無を判定し（ステップＳ１６）、信号有りを判定したとき、復調の成功／失敗を判定する（ステップＳ１７）。
【００２８】
ここで、復調に成功したとき、該当するチャンネル走査の内容（周波数、信号有、帯域幅）をＴＶチャンネル走査情報としてチャンネル走査情報テーブル５０に記憶した後、次の周波数設定によるチャンネル走査を実行する（ステップＳ１１〜Ｓ１８）。また、ＴＶ信号の有無判定（ステップＳ１６）において、信号無しを判定したときは、該当するチャンネル走査の内容（周波数、信号無）をＴＶチャンネル走査情報としてチャンネル走査情報テーブル５０に記憶した後、次の周波数設定によるチャンネル走査を実行する（ステップＳ１１〜Ｓ１８）。また、最初（第１候補）の帯域幅で復調に失敗したときは、第２候補の帯域幅で再び復調を開始する（ステップＳ１８，Ｓ１２〜Ｓ１７）。すべての帯域幅（６ＭＨｚ／７ＭＨｚ／８ＭＨｚ）で復調を試み、復調に失敗した場合は、そのチャンネル走査を終了し、次の周波数設定によるチャンネル走査を実行する（ステップＳ１１〜Ｓ１８）。
【００２９】
復調に成功したＴＶチャンネル走査情報がチャンネル走査情報テーブル５０に記憶された後のチャンネル走査においては、チャンネル走査情報テーブル５０に記憶された、ＴＶチャンネル走査情報を参照して、最初（第１候補）の帯域幅が選ばれる（ステップＳ１２）。
【００３０】
このように、ＴＶ信号の復調開始に先立ってＴＶチャンネル走査情報を参照し、復調する帯域幅を、チャンネル走査したＴＶ信号のＴＶチャンネル走査情報から予測することにより、最初の帯域幅で復調に成功する確率を上げることができ、チャンネル走査の処理速度を速めることができる。
【００３１】
上述した欧州のデジタルＴＶの放送方式の標準であるＤＶＢ−Ｔ仕様では、放送業者がＴＶ信号の帯域幅を６ＭＨｚ、７ＭＨｚ、８Ｍｈｚから選ぶことができる。しかしながら、一般にＴＶ信号の帯域幅が異なる場合、フロントエンドチューナ（１２／３２）に設けたＳＡＷフィルタの帯域幅とデジタルＴＶ復調器（１３／３３）の帯域幅の設定を同時に切り替える必要がある。
【００３２】
この際、上記した予測による帯域幅設定を適用しない際は、常に６ＭＨｚ、７ＭＨｚ、８ＭＨｚの順に、帯域幅を変更して、ＴＶ信号の復調が成功するか否かを調べ、もしＴＶ信号の帯域幅が８ＭＨｚであったなら、２回のスリープの合計時間２００ｍｓｅｃが無駄な時間となる。
【００３３】
一般に、ＴＶ信号の帯域幅は放送業者および国ごとに一定にすることが多く、例えば８ＭＨｚを使っている放送業者や国は、各チャンネルについて同じ帯域幅（８ＭＨｚ）で運用することが多い。
【００３４】
そこで上記した実施形態の予測による帯域幅設定を適用することによって、例えば、あるチャンネル走査周波数でＴＶ信号の復調に成功し、このときの帯域幅が８ＭＨｚであったならば、次のチャンネル走査において、最初に８ＭＨｚの帯域幅を選び、復調を開始することで、フロントエンド周波数設定後の最初の帯域幅設定の復調時に成功する確率を高めることができ、６ＭＨｚ、７ＭＨｚの各帯域幅の設定による復調処理を省いて、その復調処理に要する無駄な２００ｍｓｅｃのスリープ時間を節約することができるようになる。
【００３５】
上述した実施形態では、近傍の周波数のＴＶチャンネル走査情報をもとに第１候補の帯域幅を選んだが、例えば図５に示すような帯域幅の選択肢から選べるようにしてもよい。例えば、独国では、ＶＨＦ帯については７ＭＨｚ→８ＭＨｚの順、ＵＨＦ帯については８ＭＨｚ→７ＭＨｚの順をそれぞれ選び、英国でのチャンネル走査においては、８ＭＨｚのみを選ぶ等、チャンネル設定を行う国、地域等によって最も相応しい帯域幅の設定順位を選ぶことで、各チューニング処理をより高速化することができる。
【図面の簡単な説明】
【００３６】
【図１】本発明の第１実施形態に係る受信装置の構成を示すブロック図。
【図２】本発明の第２実施形態に係る受信装置の構成を示すブロック図。
【図３】上記各実施形態に用いられるチャンネル走査情報テーブルの構成例を示す図。
【図４】上記各実施形態に適用されるチューニング処理の手順を示すフローチャート。
【図５】上記各実施形態に適用可能な帯域幅の選択肢を提供するテーブルの一例を示す図。
【符号の説明】
【００３７】
１０…受信装置、１１…アンテナ、１２…フロントエンドチューナ部、１３…デジタルＴＶ受信部、１４…主制御部、１５…メモリ、１６…電源制御部、１７…外部インタフェース（ＩＦ）、３０…ＴＶチューナボード、３０Ａ…ＰＣＩコントローラ、３１…アンテナ、３２…フロントエンドチューナ部、３３…デジタルＴＶ復調部、３４…ＭＰＥＧデマルチプレクサ部、３５…制御部、３６…メモリ、３７…電源制御部、３８…外部インタフェース部、４０…パーソナルコンピュータ、４１…ＴＶ受信アプリケーション（ＴＶ−ＡＰＰ）、４２…ＴＶチューナボード用のドライバ（ＴＶｂｏａｒｄ−ＤＲＶ）、５０…チャンネル走査情報テーブル。
【図１】
2007089038.tif 000003
【図２】
2007089038.tif 000004
【図３】
2007089038.tif 000005
【図４】
2007089038.tif 000006
【図５】
2007089038.tif 000007